(57)【要約】【課題】複数の映像信号の中から最終表示すべき映像信号を迅速に表示切替可能とし、かつ、システム換装が容易な映像切替システムを提供する。【解決手段】制御部３の制御により、複数の表示端末１１〜１ｎから入力される入力映像信号６のうち切替部２で切り替えて選択された映像信号をプレビュー用のスタンバイ映像信号としてプレビュー表示部５に表示し、最終表示用として選択された際に、表示装置Ａ、Ｂのいずれか指定された表示装置に表示するシステムにおいて、表示装置Ａ、Ｂそれぞれは少なくとも２つの入力ポートを備え、最終表示するために現在使用中の現用側の入力ポート以外の入力ポートに、プレビュー表示部５に表示したものと同じスタンバイ映像信号を入力し、最終表示する映像信号を切り替える際に、前記スタンバイ映像信号が入力されていた入力ポートを現用側の入力ポートとして、最終表示用の映像信号を画面表示する。【選択図】        図１
2007310061.tif 000002
【特許請求の範囲】
【請求項１】
映像信号の表示制御を行う制御部と、複数の映像端末から入力されてくる映像信号のいずれかを、前記制御部からの指示に応じて切り替えて出力する切替部と、前記切替部から出力される映像信号を画面表示する表示装置と、を少なくとも備える映像切替システムにおいて、前記表示装置が、前記切替部からの映像信号を入力する入力ポートとして、前記制御部からの指示に応じて、最終表示用として画面表示する映像信号を入力するポートと、切替え候補となるスタンバイ映像信号を入力するポートとの少なくとも２つの入力ポートを備え、前記制御部からの切替指示に応じて、前記表示装置のメモリに映像信号をロードすることなく、前記表示装置の２つの入力ポートを切り替えることにより、最終表示用の画面表示を切り替えることを特徴とする映像切替システム。
【請求項２】
複数の映像端末から入力されてくる映像信号のいずれかに切り替えて出力された映像信号をプレビュー用のスタンバイ映像信号としてプレビュー表示部に画面表示し、最終表示用として選択された際に、表示装置に最終表示用として画面表示する映像切替方法において、前記表示装置が、映像信号を入力する入力ポートを少なくとも２つ備え、２つの入力ポートのうち、当該表示装置に最終表示として現在画面表示するために使用されている現用側の入力ポート以外の入力ポートに、前記プレビュー表示部にプレビュー用として画面表示している前記スタンバイ映像信号と同じスタンバイ映像信号を入力し、最終表示の映像の切替指示に応じて、前記表示装置の２つの入力ポートを切り替えることにより、最終表示用の画面表示を切り替えることを特徴とする映像切替方法。
【請求項３】
請求項２に記載の映像切替方法を、コンピュータが実行可能なプログラムとして実現していることを特徴とする映像切替制御プログラム。
【請求項４】
請求項３に記載の映像切替制御プログラムを、コンピュータが読み取り可能な記録媒体に記録していることを特徴とするプログラム記録媒体。
【発明の詳細な説明】
【技術分野】
【０００１】
本発明は、映像切替システム、映像切替方法、映像切替制御プログラムおよびプログラム記録媒体に関し、例えば、プレゼンテーションシステム、監視システム等において、異なる映像入力端末から入力されてくるＮＴＳＣ系、ＲＧＢ系、ハイビジョン系、パーソナルコンピュータ系、ワークステーション系等の異なる周波数（垂直タイミング、水平タイミングなど）の映像信号を表示装置に迅速に切替表示可能とする映像切替システム、映像切替方法、映像切替制御プログラムおよびプログラム記録媒体に関する。
【背景技術】
【０００２】
従来の映像切替システムは、例えば、特許文献１の特開２００３−３２３１６８号公報「プロジェクタ装置」に記載のように、複数の映像端末等でそれぞれ表示されていた複数の映像信号を切替部に入力して、該切替部で切替制御を行うことにより、指定したいずれかの映像を切替部から表示装置に出力するものである。
【０００３】
この場合、映像端末等から入力されてくる複数の映像信号の種類として、ＮＴＳＣ信号、ハイビジョン信号、パーソナルコンピュータの映像信号（アナログＲＢＧ信号）、ワークステーションの映像信号（アナログＲＧＢ信号）等が存在している。ＮＴＳＣ信号、ハイビジョン信号については、その周波数である垂直タイミングや水平タイミングには明確な規定があり、いずれの映像端末から入力される映像信号であっても、統一された仕様の映像信号とされている。一方、パーソナルコンピュータの映像信号（アナログＲＢＧ信号）やワークステーションの映像信号（アナログＲＧＢ信号）の場合は、明確な規定が無く、各パーソナルコンピュータや各ワークステーションそれぞれで選択する表示解像度に応じて、垂直タイミングや水平タイミングが変化する。また、同一周波数であっても、各パーソナルコンピュータや各ワークステーションで使用されるグラフィックアクセラレータによって、全く異なった垂直タイミングや水平タイミングで出力される。
【０００４】
このように異なる複数種類の映像信号が映像切替システムの切替部に入力される場合に備えて、各映像信号の垂直タイミング及び水平タイミングなどの映像信号の仕様に関する情報を映像切替制御プログラムとして予め組み込んでおき、表示装置に表示する際に、映像信号と表示装置との特性に合わせて表示用の制御コマンドや該制御コマンドの出力時点を映像切替制御プログラムの動作に基づいて制御して、制御部から表示装置に対して出力することにより、映像信号の表示切替を行っている。
【特許文献１】特開２００３−３２３１６８号公報（第４−５頁）
【発明の開示】
【発明が解決しようとする課題】
【０００５】
しかしながら、既存の表示切替制御の仕組みでは、入力用として使用する映像端末（映像表示端末）や表示装置の組み合わせに応じてそれぞれに応じた専用の映像切替制御プログラムを作り込む必要がある。これは、表示装置への制御コマンド（メモリコマンド）の内容や制御タイミングが映像端末や表示装置ごとに異なるためである。
【０００６】
この結果として、複数の映像信号を切替表示する際に、切替対象となる映像信号に関する表示用タイミング（垂直タイミング、水平タイミング等との同期合わせ）などを含む表示制御を、表示装置との間で表示に先立って行う必要があり、迅速な切替表示ができないという問題がある。さらには、映像切替システムを換装する都度、映像切替制御プログラムの制御コマンドの内容や制御コマンドの出力タイミングの調整を行う必要があり、一度構築した映像切替システムから、新たな映像端末や表示装置に対応するようにスムーズに移行することができないという問題もある。
【０００７】
そこで、本発明の目的は、少なくとも２つの入力ポートを保有する表示装置を使用し、次の最終表示候補のスタンバイ映像信号を事前に表示装置に入力可能とする仕組みを構築することにより、迅速な表示切替を行うことを可能とし、さらに、システム換装時のスムーズなシステム移行を可能とする映像切替システム、映像切替方法、映像切替制御プログラムおよびプログラム記録媒体を提供することにある。
【課題を解決するための手段】
【０００８】
前述の課題を解決するため、本発明による映像切替システム、映像切替方法、映像切替制御プログラムおよびプログラム記録媒体は、次のような特徴的な構成を採用している。
【０００９】
（１）映像信号の表示制御を行う制御部と、複数の映像端末から入力されてくる映像信号のいずれかを、前記制御部からの指示に応じて切り替えて出力する切替部と、前記切替部から出力される映像信号を画面表示する表示装置と、を少なくとも備える映像切替システムにおいて、前記表示装置が、前記切替部からの映像信号を入力する入力ポートとして、前記制御部からの指示に応じて、最終表示用として画面表示する映像信号を入力するポートと、切替え候補となるスタンバイ映像信号を入力するポートとの少なくとも２つの入力ポートを備え、前記制御部からの切替指示に応じて、前記表示装置のメモリに映像信号をロードすることなく、前記表示装置の２つの入力ポートを切り替えることにより、最終表示用の画面表示を切り替える映像切替システム。
（２）複数の映像端末から入力されてくる映像信号のいずれかに切り替えて出力された映像信号をプレビュー用のスタンバイ映像信号としてプレビュー表示部に画面表示し、最終表示用として選択された際に、表示装置に最終表示用として画面表示する映像切替方法において、前記表示装置が、映像信号を入力する入力ポートを少なくとも２つ備え、２つの入力ポートのうち、当該表示装置に最終表示として現在画面表示するために使用されている現用側の入力ポート以外の入力ポートに、前記プレビュー表示部にプレビュー用として画面表示している前記スタンバイ映像信号と同じスタンバイ映像信号を入力し、最終表示の映像の切替指示に応じて、前記表示装置の２つの入力ポートを切り替えることにより、最終表示用の画面表示を切り替える映像切替方法。
（３）上記（２）の映像切替方法を、コンピュータが実行可能なプログラムとして実現している映像切替制御プログラム。
（４）上記（３）の映像切替制御プログラムを、コンピュータが読み取り可能な記録媒体に記録しているプログラム記録媒体。
【発明の効果】
【００１０】
本発明の映像切替システム、映像切替方法、映像切替制御プログラムおよびプログラム記録媒体によれば、少なくとも２入力ポートを有する表示装置に対して、現用側（アクティブ側）の最終表示映像用として使用していない入力ポートを用いて、次の最終表示候補のスタンバイ映像信号を事前に入力することができるので、最終表示する映像信号へのスムーズな表示切替を行うことができる。
【００１１】
さらに、映像端末や表示装置などの映像切替システムの換装時においても、表示装置に対するスタンバイ映像入力側との切替部分のみの変更で対応することができ、面倒な設定変更や映像切替制御プログラムの変更を伴うこともなく、スムーズな移行作業を行うことができる。
【発明を実施するための最良の形態】
【００１２】
以下、本発明による映像切替システム、映像切替方法、映像切替制御プログラムおよびプログラム記録媒体の好適実施形態例について添付図を参照して説明する。
【００１３】
図１は、本発明による映像切替システムの一構成例を示すブロック構成図である。図１の映像切替システムは、１〜ｎまでの複数の映像端末１（１１〜１ｎ）すなわち映像の入力端末のそれぞれから入力されてくる入力映像信号６（６１〜６ｎ）のうち、制御部３からの指示に基づいて、いずれかの映像信号を選択して、切替部２によって切り替えて、表示装置Ａ  ４Ａ、および／または、表示装置Ｂ  ４Ｂに表示する。ここで、映像端末１（１１〜１ｎ）は、各映像を生成する各社固有の専用端末であり、それぞれの端末の用途に応じて、ＮＴＳＣ系、ＲＧＢ系、ハイビジョン系、パーソナルコンピュータ系、ワークステーション系など各種形式の映像信号を、それぞれに固有の映像信号の仕様（特に、パーソナルコンピュータ系やワークステーション系の映像信号の場合、それぞれに固有の映像仕様を用いる場合が多い）にしたがって生成して、生成した映像信号を、それぞれの入力映像信号６（６１〜６ｎ）として切替部２に入力してくる。
【００１４】
切替部２は、制御部３からの指示に基づいて、複数の映像端末１（１１〜１ｎ）からのそれぞれの入力映像信号６（６１〜６ｎ）のうち、いずれかの入力映像信号６を、最終映像表示部位の表示装置Ａ  ４Ａに出力するように切り替えるとともに、いずれかの入力映像信号６を、最終映像表示部位の表示装置Ｂ  ４Ｂに出力するように切り替える。ここで、制御部３は、表示装置Ａ  ４Ａ、表示装置Ｂ  ４Ｂそれぞれに表示する入力映像信号６を選択するとともに、表示装置Ａ  ４Ａ、表示装置Ｂ  ４Ｂそれぞれを制御して、最終的な映像を切り替えて画面表示する制御を行う映像切替制御プログラム３Ａを内蔵しており、映像切替制御プログラム３Ａの動作に基づいて、各種制御信号を各回路部に出力する。
【００１５】
表示装置Ａ  ４Ａ、表示装置Ｂ  ４Ｂは、それぞれ、制御部３によって指示された映像を最終的に画面表示する表示装置であり、それぞれが、複数の映像端末１（１１〜１ｎ）のいずれの映像信号でも、制御部３からの指示に応じて表示することが可能である。また、表示装置Ａ  ４Ａ、表示装置Ｂ  ４Ｂへの入力映像信号の経路として、それぞれ、少なくとも２つの入力ポート（すなわちデュアルワイヤリング構成の入力経路）を有しており、制御部３からの指示に基づいて、最終的な表示となる最終表示映像信号であっても、プレビュー用のスタンバイ映像信号であっても、いずれの映像信号でも同時に転送することができる。すなわち、表示装置Ａ  ４Ａ、表示装置Ｂ  ４Ｂは、それぞれ、第１の入力映像信号Ａ１  ７、Ｂ１  ９と、第２の入力映像信号Ａ２  ８、Ｂ２  １０という、互いに独立に入力することが可能な、少なくとも、２つの入力経路を有するデュアルワイヤリング構成とされている。
【００１６】
このプレビュー用のスタンバイ映像信号が入力されてくると、入力映像信号の表示タイミング（メモリロードタイミングなど）の垂直タイミングや水平タイミングとの同期合わせなどをあらかじめ行い、制御部３からの最終表示指示に基づいて、いずれか一方の入力ポートからの映像信号を、現用側（アクティブ側）の最終表示映像信号として画面表示することができる。ここで、最終表示映像信号として画面表示する際には、プレビュー用のスタンバイ映像信号としてあらかじめ入力されている映像信号の入力ポートを、現用側（アクティブ側）の入力ポートに切り替えることにより、最終表示映像信号として画面表示することが可能になっている。また、もし、最終映像が画面表示されていない状態であれば、制御部３からの指示に基づいて、プレビュー映像として、表示装置Ａ  ４Ａ、表示装置Ｂ  ４Ｂへ表示することも可能である。
【００１７】
さらに説明すれば、次の通りである。制御部３から切替部２への出力切替制御信号１２によって、複数の映像端末１（１１〜１ｎ）からの入力映像信号６（６１〜６ｎ）のいずれかの映像信号が、プレビュー表示部５にスタンバイ映像信号１１として出力されると同時に、該スタンバイ映像信号１１が、制御部３からの指示に応じて、表示装置Ａ  ４Ａ、表示装置Ｂ  ４Ｂへのそれぞれの第１の入力映像信号Ａ１  ７、Ｂ１  ９と、第２の入力映像信号Ａ２  ８、Ｂ２  １０としても出力される。
【００１８】
一方、制御部３から表示装置Ａ  ４Ａへの入力切替制御信号１３によって、スタンバイ映像信号として入力されてくる第１の入力映像信号Ａ１  ７、第２の入力映像信号Ａ２  ８のいずれかが最終表示映像信号として選択されて、表示装置Ａ  ４Ａに画面表示され、制御部３から表示装置Ｂ  ４Ｂへの入力切替制御信号１４によって、スタンバイ映像信号として入力されてくる第１の入力映像信号Ｂ１  ９、第２の入力映像信号Ｂ２  １０のいずれかが最終表示映像信号として選択されて、表示装置Ｂ  ４Ｂに画面表示される。
【００１９】
また、プレビュー表示部５は、次の最終表示候補となるスタンバイ側の映像信号をプレビュー表示するスタンバイ映像表示部位である。複数の映像端末１（１１〜１ｎ）からのそれぞれの入力映像信号６（６１〜６ｎ）のうち、現用側（アクティブ側）の最終表示映像信号として選択されていない、映像端末１（１１〜１ｎ）からの映像信号が、あらかじめ定めた周期で、制御部３からの出力切替制御信号１２に基づいて、順次、切替部２にて切り替えられて、オートスキャン結果のスタンバイ映像信号１１として、プレビュー表示部５に順次出力されて画面表示される。
【００２０】
次に、図２及び図３を参照しながら、本発明の一構成例を示す図１の映像切替システムの動作一例について、表示装置に表示する映像の切替え動作をレイにとって詳細に説明する。ここに、図２は、本発明の動作の特徴の一つを理解し易くするために、従来技術の映像切替システムにおける表示制御シーケンスの一例を示すシーケンス図である。図３は、本発）の実施例である図１の映像切替システムにおける表示制御シーケンスを示すシーケンス図である。なお、本発明を理解し易くするための図２の従来技術の動作については、図１と類似の構成からなっているものと仮定する。ただし、本発明の場合とは異なり、図１における表示装置Ａ  ４Ａ、表示装置Ｂ  ４Ｂへの入力ポートはシングルワイヤリング構成であり、それぞれ、第１の入力映像信号Ａ１  ７、第１の入力映像信号Ｂ１  ９の入力ポートのみが備えられており、第２の入力映像信号Ａ２  ８、第２の入力映像信号Ｂ２  １０の入力ポートは備えられていない。
【００２１】
まず、図２に示す従来技術の映像切替システムの表示制御のシーケンスについて説明する。例えば、映像端末１１からの入力映像信号６１が、切替部２に入力される。切替部２に入力された映像端末１１からの入力映像信号６１は、制御部３に対してオペレータが切替操作を実施することにより、映像切替制御プログラム３Ａが動作し、プレビュー表示部５に対してスタンバイ映像信号１１として画面表示される。プレビュー表示部５へスタンバイ映像信号１１として表示された映像をオペレータが確認して、制御部３に対して切替操作を実施することにより、映像切替制御プログラム３Ａが動作し、映像端末１１からの入力映像信号６１は、表示装置Ａ  ４Ａと表示装置Ｂ  ４Ｂとに、第１の入力映像信号Ａ１  ７と第１の入力映像信号Ｂ１  ９として、それぞれ入力されて、最終表示映像として画面表示される。
【００２２】
その後、別の表示装置例えば映像端末１２からの入力映像信号６２を、表示装置Ａ  ４Ａに切り替え表示しようとする場合、まず、映像端末１２からの入力映像信号６２が、切替部２に入力される。切替部２に入力された映像端末１２からの入力映像信号６２は、前述した場合と同様に、制御部３に対してオペレータが切替操作を実施することにより、映像切替制御プログラム３Ａが動作し、プレビュー表示部５に対してスタンバイ映像信号１１として画面表示される。プレビュー表示部５へスタンバイ映像信号１１として表示された映像をオペレータが確認して、制御部３に対して切替操作を実施することにより、映像切替制御プログラム３Ａが動作し、映像端末１２からの入力映像信号６２は、表示装置Ａ  ４Ａに第１の入力映像信号Ａ１  ７として入力されて、先に表示されている映像端末１１からの入力映像信号６１に代わって、最終表示映像として画面表示される。
【００２３】
この一連のシーケンスの中で、第１の入力映像信号Ａ１  ７と第１の入力映像信号Ｂ１  ９として表示装置Ａ  ４Ａと表示装置Ｂ  ４Ｂとにそれぞれ入力されてくる映像信号に関しては、前述したように、統一性がなく、映像端末１（１１〜１ｎ）ごとに異なる仕様（特に、垂直タイミングや水平タイミング）となっている可能性がある。さらに、それぞれの映像端末１（１１〜１ｎ）で生成される映像情報に関する仕様は未開示であり、映像切替システム側でチューニングを行う必要がある。
【００２４】
この結果として、表示装置Ａ  ４Ａや表示装置Ｂ  ４Ｂへ第１の入力映像信号Ａ１  ７や第１の入力映像信号Ｂ１  ９を出力してそれぞれで画面表示する際に、画面表示に至るまでの間に、表示装置Ａ  ４Ａ、表示装置Ｂ  ４Ｂに対する複数のコマンドのやりとりが、表示する映像の生成元の映像端末１（１１〜１ｎ）ごとに対応して必要となる。例えば、最終表示する映像端末１（１１〜１ｎ）に対するオートスキャンのオフを実施した後、入力映像信号のタイミング（垂直タイミング及び水平タイミング等）に、表示データのメモリロードタイミング（例えば３０〜５０ｍｓｅｃの範囲内のいずれかのタイミング）を合わせ込むためのやりとりが、それぞれの映像端末１（１１〜１ｎ）ごとに必要であり、それぞれの映像端末１（１１〜１ｎ）ごとの細かな設定や場合によっては映像切替制御プログラム３Ａの変更を必要としている。
【００２５】
一方、本発明の実施例の構成においては、図１に示すように、表示装置Ａ  ４Ａ、表示装置Ｂ  ４Ｂへの映像信号の入力ポートとして、それぞれ、第１の入力映像信号Ａ１  ７、第１の入力映像信号Ｂ１  ９の他に、第２の入力映像信号Ａ２  ８、第２の入力映像信号Ｂ２  １０の少なくとも２つの入力ポートを備えるとともに、さらに、スタンバイ映像信号１１をプレビュー表示部５に表示する際に、同時に、スタンバイ映像信号１１と同一のスタンバイ映像信号を、第１の入力映像信号Ａ１  ７、第１の入力映像信号Ｂ１  ９や、第２の入力映像信号Ａ２  ８、第２の入力映像信号Ｂ２  １０としても、表示装置Ａ  ４Ａ、表示装置Ｂ  ４Ｂにそれぞれ入力可能とするように構成している。
【００２６】
したがって、図１の本発明の映像切替システムの場合は、図３の本発明の映像切替システムの表示制御シーケンスに示すように動作することが可能である。例えば、まず、表示装置Ａ  ４Ａに表示したい映像端末１１からの入力映像信号６１が切替部２に入力されると、切替部２に入力された映像端末１１からの入力映像信号６１は、制御部３に対してオペレータが切替操作を実施することにより、映像切替制御プログラム３Ａが動作し、切替部２に対して出力切替制御信号１２が出力され、プレビュー表示部５に対してスタンバイ映像信号１１として画面表示されると同時に、同じスタンバイ映像信号が、現用側（アクティブ側）の最終表示映像信号として使用されていない入力ポートを用いて、画面表示されていない最初の表示制御動作となる、このような場合は、例えば、第１の入力映像信号Ａ１  ７、第１の入力映像信号Ｂ１  ９の入力ポートを経由して、表示装置Ａ  ４Ａ、表示装置Ｂ  ４Ｂに対して出力される。
【００２７】
この映像端末１１のスタンバイ映像信号が第１の入力映像信号Ａ１  ７、第１の入力映像信号Ｂ１  ９として表示装置Ａ  ４Ａ、表示装置Ｂ  ４Ｂに出力されてきた時点で、表示装置Ａ  ４Ａ、表示装置Ｂ  ４Ｂでは、それぞれ、制御部３との制御コマンドのやり取りにより、当該スタンバイ映像信号を最終表示として画面表示するためのチューニング動作が実行され、入力映像信号のタイミング（垂直タイミング及び水平タイミング等）に、表示データのメモリロードタイミングを合わせ込む動作などが実行される。
【００２８】
しかる後、プレビュー表示部５へスタンバイ映像信号１１として表示された映像をオペレータが確認して、制御部３に対して切替操作を実施することにより、映像切替制御プログラム３Ａが動作し、切替部２に対して出力切替制御信号１２が出力されるとともに、表示装置Ａ  ４Ａに対して入力切替制御信号１３が出力され、表示装置Ａ  ４Ａに第１の入力映像信号Ａ１  ７として入力されている映像端末１１からの入力映像信号６１が選択されて、最終表示映像として画面表示される。
【００２９】
次に、表示装置Ｂ  ４Ｂに表示したい映像端末１２からの入力映像信号６２が切替部２に入力されると、切替部２に入力された映像端末１２からの入力映像信号６２は、制御部３に対してオペレータが切替操作を実施することにより、映像切替制御プログラム３Ａが動作し、切替部２に対して出力切替制御信号１２が出力され、前述した場合と同様に、プレビュー表示部５に対してスタンバイ映像信号１１として画面表示されると同時に、同じスタンバイ映像信号が、現用側（アクティブ側）の最終表示映像信号として使用されていない入力ポートを用いて、この場合は、表示装置Ａ  ４Ａの第１の入力映像信号Ａ１  ７の入力ポートを除く、例えば、第２の入力映像信号Ａ２  ８、第２の入力映像信号Ｂ２  １０の入力ポートを経由して、表示装置Ａ  ４Ａ、表示装置Ｂ  ４Ｂに対して出力される。
【００３０】
この映像端末１２のスタンバイ映像信号が第２の入力映像信号Ａ２  ８、第２の入力映像信号Ｂ２  １０として表示装置Ａ  ４Ａ、表示装置Ｂ  ４Ｂに出力されてきた時点で、表示装置Ａ  ４Ａ、表示装置Ｂ  ４Ｂでは、それぞれ、制御部３との制御コマンドのやり取りにより、当該スタンバイ映像信号を最終表示として画面表示するためのチューニング動作が実行され、入力映像信号のタイミング（垂直タイミング及び水平タイミング等）に、表示データのメモリロードタイミングを合わせ込む動作などが実行される。
【００３１】
しかる後、前述した場合と同様に、プレビュー表示部５へスタンバイ映像信号１１として表示された映像をオペレータが確認して、制御部３に対して切替操作を実施することにより、映像切替制御プログラム３Ａが動作し、切替部２に対して出力切替制御信号１２が出力されるとともに、表示装置Ｂ  ４Ｂに対して入力切替制御信号１４が出力され、表示装置Ｂ  ４Ｂに第２の入力映像信号Ｂ２  １０として入力されている映像端末１２からの入力映像信号６２が選択されて、最終表示映像として画面表示される。
【００３２】
次に、表示装置Ａ  ４Ａに表示していた映像端末１１からの入力映像信号６１の表示を止めて、映像端末１３からの入力映像信号６３を表示装置Ａ  ４Ａに表示したい場合、表示したい映像端末１３からの入力映像信号６３が切替部２に入力されると、切替部２に入力された映像端末１３からの入力映像信号６３は、制御部３に対してオペレータが切替操作を実施することにより、映像切替制御プログラム３Ａが動作し、切替部２に対して出力切替制御信号１２が出力される。
【００３３】
この結果、前述した場合と同様に、プレビュー表示部５に対してスタンバイ映像信号１１として画面表示されると同時に、同じスタンバイ映像信号が、現用側（アクティブ側）の最終表示映像信号として使用されていない入力ポートを用いて、この場合は、表示装置Ａ  ４Ａの第１の入力映像信号Ａ１  ７と表示装置Ｂ  ４Ｂの第２の入力映像信号Ｂ２  １０との入力ポートを除く、第２の入力映像信号Ａ２  ８、第１の入力映像信号Ｂ１  ９の入力ポートを経由して、表示装置Ａ  ４Ａ、表示装置Ｂ  ４Ｂに対して出力される。
【００３４】
この映像端末１３のスタンバイ映像信号が第２の入力映像信号Ａ２  ８、第１の入力映像信号Ｂ１  ９として表示装置Ａ  ４Ａ、表示装置Ｂ  ４Ｂに出力されてきた時点で、表示装置Ａ  ４Ａ、表示装置Ｂ  ４Ｂでは、それぞれ、制御部３との制御コマンドのやり取りにより、当該スタンバイ映像信号を最終表示として画面表示するためのチューニング動作が実行され、入力映像信号のタイミング（垂直タイミング及び水平タイミング等）に、表示データのメモリロードタイミングを合わせ込む動作などが実行される。
【００３５】
しかる後、前述した場合と同様に、プレビュー表示部５へスタンバイ映像信号１１として表示された映像をオペレータが確認して、制御部３に対して切替操作を実施することにより、映像切替制御プログラム３Ａが動作し、切替部２に対して出力切替制御信号１２が出力されるとともに、表示装置Ａ  ４Ａに対して入力切替制御信号１３が出力され、表示装置Ａ  ４Ａに第２の入力映像信号Ａ２  ８として入力されている映像端末１３からの入力映像信号６３が選択されて、最終表示映像として画面表示される。
【００３６】
次に、表示装置Ｂ  ４Ｂに表示していた映像端末１２からの入力映像信号６２から切り替えて、映像端末１１からの入力映像信号６１を今度は表示装置Ｂ  ４Ｂに表示したい場合、表示したい映像端末１１からの入力映像信号６１が切替部２に入力されると、切替部２に入力された映像端末１１からの入力映像信号６１は、制御部３に対してオペレータが切替操作を実施することにより、映像切替制御プログラム３Ａが動作し、切替部２に対して出力切替制御信号１２が出力される。
【００３７】
この結果、前述した場合と同様に、プレビュー表示部５に対してスタンバイ映像信号１１として画面表示されると同時に、同じスタンバイ映像信号が、現用側（アクティブ側）の最終表示映像信号として使用されていない入力ポートを用いて、この場合は、表示装置Ａ  ４Ａの第２の入力映像信号Ａ２  ８と表示装置Ｂ  ４Ｂの第２の入力映像信号Ｂ２  １０との入力ポートを除く、例えば、第１の入力映像信号Ａ１  ７、第１の入力映像信号Ｂ１  ９の入力ポートを経由して、表示装置Ａ  ４Ａ、表示装置Ｂ  ４Ｂに対して出力される。
【００３８】
この映像端末１１のスタンバイ映像信号が第２の入力映像信号Ａ１  ７、第１の入力映像信号Ｂ１  ９として表示装置Ａ  ４Ａ、表示装置Ｂ  ４Ｂに出力されてきた時点で、表示装置Ａ  ４Ａ、表示装置Ｂ  ４Ｂでは、それぞれ、制御部３との制御コマンドのやり取りにより、当該スタンバイ映像信号を最終表示として画面表示するためのチューニング動作が実行され、入力映像信号のタイミング（垂直タイミング及び水平タイミング等）に、表示データのメモリロードタイミングを合わせ込む動作などが実行される。
【００３９】
しかる後、前述した場合と同様に、プレビュー表示部５へスタンバイ映像信号１１として表示された映像をオペレータが確認して、制御部３に対して切替操作を実施することにより、映像切替制御プログラム３Ａが動作し、切替部２に対して出力切替制御信号１２が出力されるとともに、表示装置Ｂ  ４Ｂに対して入力切替制御信号１４が出力され、表示装置Ｂ  ４Ｂに第１の入力映像信号Ｂ１  ９として入力されている映像端末１１からの入力映像信号６１が選択されて、最終表示映像として画面表示される。
【００４０】
以上のように、本発明における映像切替システムにおいては、各映像端末１（１１〜１ｎ）からの入力映像信号６（６１〜６ｎ）がプレビュー表示部５へスタンバイ映像として画面表示されると同時に、表示装置Ａ  ４Ａ、表示装置Ｂ  ４Ｂに対してもスタンバイ映像信号として入力される。したがって、表示装置Ａ  ４Ａ、表示装置Ｂ  ４Ｂが最終表示として画面表示を行う前に、予め、入力映像の表示データのタイミング（垂直タイミング及び水平タイミング等）などの表示映像仕様について、表示装置Ａ  ４Ａ、表示装置Ｂ  ４Ｂ自身が把握し、チューニングすることができる。而して、最終表示を行う時点では、オートスキャンのオフを実施し、例えば、入力映像信号のタイミング（垂直タイミング及び水平タイミング等）に、表示データのメモリロードタイミングを合わせ込むためのやりとりなど、映像生成元の映像端末１（１１〜１ｎ）ごとに対応して必要となる表示装置Ａ  ４Ａ、表示装置Ｂ  ４Ｂに対する複数のコマンドのやりとりが不要となる。
【００４１】
また、表示装置Ａ  ４Ａ、表示装置Ｂ  ４Ｂに対してスタンバイ映像信号として入力される入力経路は、プレビュー表示部５へのスタンバイ映像信号を切り替える都度、現用側（アクティブ側）の最終表示映像用として使用していない予備側の入力ポートに割り付けられ、かつ、最終表示映像信号として表示装置Ａ  ４Ａ、表示装置Ｂ  ４Ｂに画面表示する際には、スタンバイ映像信号の入力経路として割り付けられていた入力ポートをそのまま使用するので、映像表示切替をスムーズに行うことができる。
【００４２】
また、かくのごとく、少なくとも、２つの入力ポートを備えたデュアルワイヤリング構造からなり、かつ、最終表示用の現用側（アクティブ側）の入力ポートとして使用されていない予備側の入力ポートを経由して、スタンバイ映像信号を事前に入力するスタンバイ映像入力機能付き表示装置（表示装置Ａ  ４Ａ、表示装置Ｂ  ４Ｂ）を用いることにすれば、映像信号入力用の各映像端末１（１１〜１ｎ）や表示装置Ａ  ４Ａ、表示装置Ｂ  ４Ｂなどの映像切替システムの換装時においても、デュアルワイヤリングのスタンバイ映像入力側との切替部分のみの変更で対応することができ、面倒な設定変更や映像切替制御プログラムの変更を伴うこともなく、スムーズな移行作業を行うことができる。
【００４３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００４４】
【図１】本発明による映像切替システムの一構成例を示すブロック構成図である。
【図２】従来技術の映像切替システムにおける表示制御シーケンスを示すシーケンス図である。
【図３】本発明の実施例である図１の映像切替システムにおける表示制御シーケンスを示すシーケンス図である。
【符号の説明】
【００４５】
１          映像端末
１１〜１ｎ    映像端末
２          切替部
３          制御部
３Ａ        映像切替制御プログラム
４Ａ        表示装置Ａ
４Ｂ        表示装置Ｂ
５          プレビュー表示部
６          入力映像信号
６１〜６ｎ    入力映像信号
７          第１の入力映像信号Ａ１
８          第２の入力映像信号Ａ２
９          第１の入力映像信号Ｂ１
１０        第２の入力映像信号Ｂ２
１１        スタンバイ映像信号
１２        出力切替制御信号
１３        入力切替制御信号
１４        入力切替制御信号
【図１】
2007310061.tif 000003
【図２】
2007310061.tif 000004
【図３】
2007310061.tif 000005